(57)【要約】【課題】本発明は、ドライバのレイアウト面積を最小化することができる表示装置およびその駆動方法を提供する。【解決手段】表示パネルの両端側に第１および第２スキャンドライバを配置し、第１および第２スキャンドライバのそれぞれは、多数のスキャンラインに対応する多数の回路段を有する。各回路段の高さは、縦方向に隣接したサブピクセルの高さを有する。第１スキャンドライバの回路段から発生したスキャンパルスは、この回路段に連結されたスキャンライン上のサブピクセルらと第２スキャンドライバの回路段に供給される。このとき、第２スキャンドライバの回路段は、スキャンパルスに応じて別のスキャンパルスを発生する。【選択図】図３
2006301581.tif 000002
【特許請求の範囲】
【請求項１】
多数のデータラインおよび多数のスキャンラインとの交差部に形成されたＲ、Ｇ、及びＢの各サブピクセルを含む表示パネルと、
前記スキャンラインを駆動するためのスキャンドライバと、
前記データラインを駆動するためのデータドライバとを含み、
前記スキャンドライバは、第１および第２スキャンドライバを含み、前記表示パネルの両端側に前記第１および第２スキャンドライバが配置され、前記スキャンドライバのレイアウト面積が最少化されていることを特徴とする表示装置。
【請求項２】
前記表示パネルは、前記Ｒ、Ｇ、及びＢの各サブピクセルが縦方向に配列され、一つの画素を構成するバーティカルストライプ形態を有することを特徴とする請求項１に記載の表示装置。
【請求項３】
前記表示パネルは、エレクトロルミネセンス特性を有するパネルであることを特徴とする請求項１に記載の表示装置。
【請求項４】
前記第１および第２スキャンドライバのそれぞれは、前記多数のスキャンラインに対応する多数の回路段を有することを特徴とする請求項１に記載の表示装置。
【請求項５】
前記第１スキャンドライバの多数の回路段は、奇数番目のスキャンラインに供給するスキャン信号を発生することを特徴とする請求項４に記載の表示装置。
【請求項６】
前記第２スキャンドライバの多数の回路段は、偶数番目のスキャンラインに供給するスキャン信号を発生することを特徴とする請求項４に記載の表示装置。
【請求項７】
前記第１スキャンドライバの多数の回路段は、偶数番目のスキャンラインに供給するスキャン信号を発生することを特徴とする請求項４に記載の表示装置。
【請求項８】
前記第２スキャンドライバの多数の回路段は、奇数番目のスキャンラインに供給するスキャン信号を発生することを特徴とする請求項４に記載の表示装置。
【請求項９】
前記第１スキャンドライバの多数の回路段と前記第２スキャンドライバの多数の回路段とは、対応する一つのスキャンラインにより連結されることを特徴とする請求項４に記載の表示装置。
【請求項１０】
前記第１スキャンドライバの回路段から発生したスキャン信号は、前記対応する一つのスキャンライン上の各サブピクセルと、前記第２スキャンドライバの回路段とに供給されることを特徴とする請求項９に記載の表示装置。
【請求項１１】
前記第２スキャンドライバの回路段は、前記第１スキャンドライバから供給されたスキャン信号に応じて、該スキャン信号とは別のスキャン信号を発生することを特徴とする請求項１０に記載の表示装置。
【請求項１２】
前記第２スキャンドライバの回路段から発生したスキャン信号は、前記対応する一つのスキャンライン上の各サブピクセルと、前記第１スキャンドライバの回路段とに供給されることを特徴とする請求項９に記載の表示装置。
【請求項１３】
前記第１スキャンドライバの回路段は、前記第１スキャンドライバから供給されたスキャン信号に応じて、該スキャン信号とは別のスキャン信号を発生することを特徴とする請求項１２に記載の表示装置。
【請求項１４】
前記回路段の高さは、縦方向に隣接したサブピクセルの高さを有することを特徴とする請求項４に記載の表示装置。
【請求項１５】
前記縦方向に隣接したサブピクセルは、二つのサブピクセルであることを特徴とする請求項１４に記載の表示装置。
【請求項１６】
前記第１および第２スキャンドライバは、前記表示パネルの有効表示領域の両端側に配置されることを特徴とする請求項１に記載の表示装置。
【請求項１７】
多数のデータラインおよび多数のスキャンラインとの交差部に形成されたＲ、Ｇ、及びＢの各サブピクセルを含む表示パネルと、前記表示パネルの両端側に供えられ、前記スキャンラインを駆動させる第１および第２スキャンドライバと、前記データラインを駆動させるデータドライバとを含む表示装置において、
ａ）前記第１スキャンドライバから、第１スキャン信号を第１スキャンラインに供給する段階と、
ｂ）前記第１スキャン信号により前記第１スキャンライン上の各サブピクセルを選択し、前記第１スキャン信号を前記第２スキャンドライバに供給する段階と、
ｃ）前記データドライバから供給されたデータ信号により、前記選択された各サブピクセルに所定の画像を表示させる段階と、
ｄ）前記第２スキャンドライバが、前記第１スキャン信号に応じて、第２スキャン信号を第２スキャンラインに供給する段階と、
ｅ）前記ｂ）段階乃至前記ｄ）段階を繰り返して行う段階と、を含むことを特徴とする表示装置の駆動方法。
【発明の詳細な説明】
【技術分野】
【０００１】
本発明は、表示装置に係り、特に、ドライバのレイアウト面積を最少化させることができる表示装置およびその駆動方法に関する。
【背景技術】
【０００２】
陰極線管（ＣＲＴ）には、体積が大きく、重いという短所がある。よって、このような短所を解消できるフラットパネル表示装置が開発されている。フラットパネル表示装置としては、液晶表示装置（ＬＣＤ）、電界放出表示装置（ＦＥＤ）、プラズマ表示パネル（ＰＤＰ）およびエレクトロルミネセンス（以下、「ＥＬ」という。）等の表示装置がある。
【０００３】
ＥＬ表示装置は、電子と正孔の再結合で蛍光物質を発光させる自発光素子であって、材料および構造によって無機ＥＬと有機ＥＬとに大別される。このＥＬ表示装置は、液晶表示装置のように別途の光源を必要としないので、軽く、薄い且つ、陰極線管のような速い応答速度を有するという長所を有している。
【０００４】
図１は、一般のＥＬ表示パネルの有機発光セルを示す断面図である。
図１に図示したように、有機発光セルは、陰極２と陽極１４との間に積層された電子注入層４、電子輸送層６、発光層８、正孔輸送層１０、及び正孔注入層１２を備える。
【０００５】
透明電極である陽極１４と金属電極である陰極２との間に電圧Ｖを印加すると、陰極２から発生した電子は、電子注入層４および電子輸送層６を通して発光層８の方に移動し、陽極１４から発生した正孔は、正孔注入層１２および正孔輸送層１０を通して発光層８へと移動する。これによって、発光層８では、電子輸送層６と正孔輸送層１０とから供給された電子と正孔とが再結合することにより光が発生し、この光は、透明電極である陽極１４を通して外部に放出され、画像が表示される。
【０００６】
図２は、従来のＥＬ表示装置を概略的に示した図面である。
図２を参照すると、従来のＥＬ表示装置は、スキャンラインＳＬ１乃至ＳＬｎとデータラインＤＬ１乃至ＤＬｍとの交差で定義された画素領域ごとに配列された各サブピクセル２２を含むＥＬ表示パネル１６と、スキャンラインＳＬ１乃至ＳＬｎを駆動させるスキャンドライバ１８と、データラインＤＬ１乃至ＤＬｍを駆動させるデータドライバ２０と、データドライバ２０およびスキャンドライバ１８それぞれの駆動タイミングを制御するタイミング制御部２８とを備える。
【０００７】
各サブピクセル２２は、横方向にＲ、Ｇ、及びＢの各サブピクセルが集まって一つの画素が構成され、供給電圧源（ＶＤＤ）と、この供給電圧源（ＶＤＤ）と基底電圧源（ＧＮＤ）との間に接続された発光セル（ＯＬＥＤ）と、データラインＤＬ１乃至ＤＬｍとスキャンラインＳＬ１乃至ＳＬｎとのそれぞれから供給される駆動信号により発光セル（ＯＬＥＤ）を駆動させる発光セル駆動回路とを備える。
【０００８】
タイミング制御部２８は、グラフィックカード等の外部システムから供給される同期信号を用いて、スキャンドライバ１８を制御するためのスキャン制御信号およびデータドライバ２０を制御するためのデータ制御信号を生成する。なお、タイミング制御部２８は、外部システムから供給されるデータ信号をデータドライバ２０に供給する。
【０００９】
スキャンドライバ１８は、タイミング制御部２８からのスキャン制御信号に応じてスキャンパルス（ＳＰ）を発生し、スキャンパルス（ＳＰ）をスキャンラインＳＬ１乃至ＳＬｎに供給して、スキャンラインＳＬ１乃至ＳＬｎを順次駆動させる。
【００１０】
データドライバ２０は、タイミング制御部２８からのデータ制御信号により、水平期間（１Ｈ）ごとにデータ信号に応じた電流レベルまたはパルス幅を有する電流信号をデータラインＤＬ１乃至ＤＬｍに供給する。このとき、データドライバ２０は、データラインＤＬ１乃至ＤＬｍと１対１でマッチングされるＤＬｍ個の出力チャンネルを有する。
【００１１】
このようなＥＬ表示装置は、入力データに比例する電流レベルまたはパルス幅を有する電流信号を各サブピクセル２２に供給する。そして、サブピクセル２２それぞれは、データラインＤＬ１乃至ＤＬｍから供給される電流の量に比例して発光する。
このようなＥＬ表示装置の場合、スキャンドライバ１８は、ＥＬ表示パネル１６の一端側にのみ横方向に備えられ、ＥＬ表示パネル１６に一体化されている。
【００１２】
図２に図示したように、各サブピクセル２２が、横方向にＲ、Ｇ、Ｂの順に配列されたＥＬ表示パネル１６の場合、スキャンドライバ１８には各サブピクセル２２の高さＡに対応するそれぞれの回路段１９がｎ個備えられ、各回路段１９は所定の幅Ｂを有する。すなわち、回路段１９はＥＬ表示パネル１６に配列されたスキャンラインＳＬ１乃至ＳＬｎの個数に対応するように備えられる。このような場合、各回路段１９のレイアウト面積は、各サブピクセル２２の高さＡと各回路段１９の幅Ｂとを掛け算した値に相当する大きさを有する。
【００１３】
回路段１９では、スキャンラインＳＬ１乃至ＳＬｎから一つずつ引き出し、この引き出した各スキャンラインと連結されたサブピクセル２２の全てに、ターンオン電圧を提供する。
【００１４】
従来のＥＬ表示装置に備えられたスキャンドライバ１８を用いるレイアウトは、“各サブピクセルの高さ（Ａ）＊各回路段の幅（Ｂ）＊スキャンライン数（ｎ）”程の面積が要求される。
【００１５】
このように、スキャンドライバ１８がＥＬ表示パネル１６の一端側だけに備えられる場合、ＥＬ表示パネル１６の一端側にスキャンドライバ１８のレイアウト程の面積が要求されるため、ＥＬ表示パネル１６をＥＬ表示装置の中央に配置できないため、スキャンドライバ１８のレイアウト面積の分、ＥＬ表示装置の全体のサイズが増加するという短所がある。
【発明の開示】
【発明が解決しようとする課題】
【００１６】
本発明は、表示パネルの両端側にドライバを分散して配置し、ドライバのレイアウト面積を最少化することで、よりコンパクトな表示パネルを製造することができる表示装置およびその駆動方法を提供することにその目的がある。
【課題を解決するための手段】
【００１７】
上記の目的を達成するため、本発明の表示装置は、多数のデータラインおよび多数のスキャンラインとの交差部に形成されたＲ、Ｇ、及びＢの各サブピクセルを含む表示パネルと、スキャンラインを駆動させるためのスキャンドライバと、データラインを駆動させるためのデータドライバとを含み、スキャンドライバは、第１および第２スキャンドライバを含み、表示パネルの両端側に第１および第２スキャンドライバを配置し、スキャンドライバのレイアウト面積を最少化させることを特徴とする。
【００１８】
また、本発明の表示装置の駆動方法は、多数のデータラインおよび多数のスキャンラインとの交差部に形成されたＲ、Ｇ、及びＢの各サブピクセルを含む表示パネルと、スキャンラインを駆動させる表示パネルの両端側に供えられた第１および第２スキャンドライバと、データラインを駆動させるデータドライバとを含む表示装置において、ａ）第１スキャンドライバから第１スキャン信号を第１スキャンラインに供給する段階と、ｂ）第１スキャン信号により第１スキャンライン上のサブピクセルを選択し、第１スキャン信号を第２スキャンドライバに供給する段階と、ｃ）データドライバから供給されたデータ信号により、選択された各サブピクセルに所定の画像を表示させる段階と、ｄ）第２スキャンドライバが、第１スキャン信号に応じて第２スキャン信号を第２スキャンラインに供給する段階と、ｅ）上記ｂ）段階乃至ｄ）段階を繰り返して行う段階とを含むことを特徴とする。
【発明の効果】
【００１９】
本発明によると、バーティカルストライプ形態の画素で構成された表示パネルの両端側に一対のスキャンドライバが配置されることにより、スキャンドライバのレイアウト面積を最少化させることにともなって、よりコンパクトなパネルが製造できるという長所がある。
なお、表示パネルの両端側にそれぞれスキャンドライバが配置されることにより、レイアウトによる面積の無駄を省き、表示パネルがＥＬ表示装置の真中央に位置するように構成できるという長所がある。
【発明を実施するための最良の形態】
【００２０】
以下、添付の図面を参照して本発明の実施例を詳細に説明する。
【００２１】
図３は、本発明の実施例によるＥＬ表示装置を概略的に示した図面である。
図３を参照すると、本発明のＥＬ表示装置４００は、スキャンラインＳＬ１乃至３ＳＬｎとデータラインＤＬ１乃至ＤＬｍ/３との交差で定義された画素領域ごとに配列された各サブピクセル４１６を含むＥＬ表示パネル４１０と、スキャンラインＳＬ１乃至３ＳＬｎを駆動させるためのスキャンドライバ４４０と、データラインＤＬ１乃至ＤＬｍ/３を駆動させるためのデータドライバ４３０と、データドライバ４３０およびスキャンドライバ４４０それぞれの駆動タイミングを制御するためのタイミング制御部（図示せず）を含んで構成されている。
【００２２】
本発明は、Ｒ、Ｇ、及びＢの各サブピクセル４１６が縦方向に配列され、単位画素４１４を構成する、バーティカルストライプ（vertical stripe）形態で、スキャンドライバ４４０のレイアウト面積を最少化させるために、ＥＬ表示パネル４１０の両端側に一対のスキャンドライバ４４０の各々を配置している。
【００２３】
バーティカルストライプ形態の単位画素４１４は、従来のようにＲ、Ｇ、及びＢの各サブピクセルが横方向に配列されて一つの画素を形成するのでなく、Ｒ、Ｇ、及びＢの各サブピクセル４１６が縦方向に配列されて一つの画素を形成しているものである。
【００２４】
よって、従来の画素を駆動させるためには、三つのデータラインと一つのスキャンラインが必要であったが、バーティカルストライプ形態の単位画素４１４を駆動させるためには、一つのデータラインと三つのスキャンラインが必要となる。
【００２５】
すなわち、従来の場合には、Ｒ、Ｇ、及びＢの各サブピクセルが横方向に配列されているので、表示パネルの上側から引き出されるデータラインが三つ必要で、パネルの側面部分から引き出される一つのスキャンラインが、横方向に配列されたＲ、Ｇ、及びＢの各サブピクセルを通過して、これを駆動させることができた。一方、本発明のバーティカルストライプ形態の単位画素４１４の場合には、単位画素４１４を構成するＲ、Ｇ、及びＢの各サブピクセル４１６が縦方向に配列されているので、ＥＬ表示パネル４１０の側面部分から引き出されるスキャンラインが三つ必要で、ＥＬ表示パネル４１０の上側から引き出される一つのデータラインが、縦方向に配列されたＲ、Ｇ、及びＢの各サブピクセル４１６を通過して、これを駆動させている。
【００２６】
このようなバーティカルストライプ形態の単位画素４１４を備えたＥＬ表示パネル４１０は、従来のＥＬ表示装置に備えられるデータドライバ４３０に比べて、出力チャンネルが引き出されるピンの数を１/３に減らせるという長所がある。
【００２７】
例えば、バーティカルストライプ形態の単位画素４１４が備えられているＥＬ表示パネル４１０の一端側に一つのスキャンドライバが備えられる場合、スキャンドライバは各サブピクセル４１６の高さ（Ｃ）に対応するそれぞれの回路段ｎ個を備え、各回路段は所定の幅（Ｄ）を有するので、一つのスキャンドライバに対するレイアウトは、次式（１）で求められる値に相当する面積が要求される。
各サブピクセルの高さ（Ｃ）＊所定の幅（Ｄ）＊スキャンライン数（ｎ）・・・（１）。
回路段からはスキャンラインが一つずつ引き出され、スキャンラインと連結される多数のサブピクセルにターンオン電圧を提供する。各サブピクセルの高さ（Ｃ）は、図２に図示した従来の一般的なサブピクセルの高さ（Ａ）の約１/３程度であるので、スキャンドライバの回路段の高さは従来の１/３倍程度に小さくなるが、その幅（Ｄ）は、図２に図示した従来の回路段の幅（Ｂ）の約３倍程度長い。すなわち、バーティカルストライプ形態のサブピクセルが備えられたＥＬ表示装置の場合にも、スキャンドライバを表示パネルの一端側に一つだけ備える場合は、前述したスキャンドライバのレイアウト程の面積が要求されるため、これは、図２に図示した従来のＥＬ表示装置より横方向にレイアウト面積が増加するという短所がある。
【００２８】
よって、本発明では、スキャンドライバ４４０をＥＬ表示パネル４１０の一端側に備えるのでなく、両端側に第１スキャンドライバ４４２および第２スキャンドライバ４４４が備えられ、第１および第２スキャンドライバ４４２、４４４を構成するそれぞれの回路段４４６、４４７の高さをバーティカルストライプ形態の各サブピクセル４１６の高さ（Ｃ）の２倍、すなわち、縦方向に隣接している二つのサブピクセルの高さに相応する高さ（２Ｃ）を有するようにし、なお、その幅を前述した一つのスキャンドライバが備えられた場合の回路段の幅（Ｄ）の１／２倍にして、レイアウト面積を最少化する。
【００２９】
すなわち、本発明によると、スキャンドライバのレイアウト面積が横方向に増加することにより発生する表示パネルサイズ増加の問題を克服できるようになって、バーティカルストライプ形態のサブピクセル配列を用いたＥＬ表示装置で、よりコンパクトなパネルが具現できる。
【００３０】
本発明によるスキャンドライバは、ＥＬ表示パネル４１０が備えられた有効表示領域の左右側に配置されるもので、すなわち、第１スキャンドライバ４４２と第２スキャンドライバ４４４とで構成される。
【００３１】
図３に図示したように、本実施例の場合、第１スキャンドライバ４４２には奇数番目の回路段４４６が備えられており、第２スキャンドライバ４４４には偶数番目の回路段４４７が備えられていることを特徴とする。しかし、これは一つの実施例に過ぎないことで、本発明がこれに限定されるのではない。
【００３２】
第１および第２スキャンドライバ４４２、４４４において、各回路段４４６、４４７に対して、縦方向に隣接している二つのサブピクセルのピッチに相応する高さ（２Ｃ）を有するようにレイアウトされている。そして、第１スキャンドライバ４４２の出力は、奇数番目のスキャンラインに連結されたサブピクセル４１６内に備えられた薄膜トランジスタ（以下、「ＴＦＴ」という。）のターンオン／ターンオフを切り替えさせ、続いて第２スキャンドライバ４４４の入力として使用される。
【００３３】
同様に、第２スキャンドライバ４４４の出力は、偶数番目のスキャンラインに連結されたサブピクセル４１６内に備えられたＴＦＴのターンオン／ターンオフを切り替えさせ、続いて第１スキャンドライバ４４２の入力として使用される。
【００３４】
図４は、図３に図示した本実施例のＥＬ表示装置において、第１および第２スキャンドライバ４４２、４４４の各回路段４４６、４４７に構成されたサブピクセル４１６の回路図を示している。
【００３５】
図３および図４を参照すると、本実施例のＥＬ表示装置４００は、ＥＬ表示パネル４１０内に備えられるＲ、Ｇ、及びＢの各サブピクセル４１６が縦方向に配列されて単位画素４１４を構成するバーティカルストライプ形態で、スキャンドライバ４４０のレイアウト面積を最少化するために、ＥＬ表示パネル４１０の両端側に一対のスキャンドライバ４４０が備えられる。但し、スキャンドライバ４４０は第１および第２スキャンドライバ４４２、４４４を含む。第１および第２スキャンドライバ４４２、４４４を構成するそれぞれの回路段の高さは、バーティカルストライプ形態のサブピクセル４１６の高さ（Ｃ）の２倍、すなわち、縦方向に隣接している二つのサブピクセル４１６の高さに相応する高さ（２Ｃ）である。また、その幅は各スキャンドライバ４４２、４４４の回路段の幅（Ｄ）の１／２となるので、スキャンドライバ４４０のレイアウト面積を最少化することができる。
【００３６】
第１および第２スキャンドライバ４４２、４４４は、ＥＬ表示パネル４１０の有効表示領域の左右両端側にそれぞれ配置される。第１スキャンドライバ４４２には奇数番目の回路段４４６が備えられており、第２スキャンドライバ４４４には偶数番目の回路段４４７が備えられている。尚、本実施例の応用例として、第１スキャンドライバに偶数番目の回路段が備えられ、第２スキャンドライバに奇数番目の回路段が備えられることもできる。
【００３７】
第１および第２スキャンドライバ４４２、４４４の各回路段４４６、４４７は、縦方向に隣接している二つのサブピクセル４１６のピッチに相応する高さ（２Ｃ）を有するようにレイアウトされている。図３および図４に図示したように、本実施例では、第１スキャンドライバ４４２の出力は、奇数番目のスキャンラインに連結されたサブピクセル４１６内に備えられたＴＦＴのターンオン、ターンオフを切り替えさせるとともに、第２スキャンドライバ４４４の入力として使用される。同様に、第２スキャンドライバ４４４の出力は、偶数番目のスキャンラインに連結されたサブピクセル４１６内に備えられたＴＦＴのターンオン、ターンオフを切り替えさせるとともに、第１スキャンドライバ４４２の入力として使用される。
【００３８】
単位画素４１４は、前述したように、バーティカルストライプ形態で構成される。バーティカルストライプ形態の単位画素４１４は、Ｒ、Ｇ、及びＢの各サブピクセル４１６が、横方向ではなく、縦方向に配列され、一つの画素を形成することに特徴がある。
【００３９】
図４を参照すると、バーティカルストライプ形態の単位画素４１４を構成する各サブピクセル４１６は、供給電圧源ＶＤＤと、この供給電圧源ＶＤＤと基底電圧源ＧＮＤとの間に接続された発光セルＯＬＥＤと、データラインＤＬ１乃至ＤＬｍ／３とスキャンラインＳＬ１乃至３ＳＬｎのそれぞれから供給される駆動信号により発光セルＯＬＥＤを駆動させるための発光セル駆動回路１３０とを備える。
【００４０】
発光セル駆動回路１３０は、供給電圧源ＶＤＤと発光セルＯＬＥＤとの間に接続された駆動ＴＦＴ（ＤＴ）と、スキャンラインＳＬとデータラインＤＬに接続された第１スイッチングＴＦＴ（Ｔ１）と、第１スイッチングＴＦＴ（Ｔ１）と駆動ＴＦＴ（ＤＴ）に接続された第２スイッチングＴＦＴ（Ｔ２）と、第１および第２スイッチングＴＦＴ（Ｔ１、Ｔ２）間のノードと供給電圧源ＶＤＤの間に接続され、駆動ＴＦＴ（ＤＴ）と電流ミラー回路を形成して電流を電圧に変換する変換ＴＦＴ（ＭＴ）と、駆動ＴＦＴ（ＤＴ）と変換ＴＦＴ（ＭＴ）それぞれのゲート端子と供給電圧源ＶＤＤの間に接続されたストレージキャパシタＣｓｔとを備える。
【００４１】
駆動ＴＦＴ（ＤＴ）のゲート端子は変換ＴＦＴ（ＭＴ）のゲート端子に接続され、ソース端子は供給電圧源ＶＤＤに接続され、ドレイン端子は発光セルＯＬＥＤに接続される。変換ＴＦＴ（ＭＴ）のソース端子は供給電圧源ＶＤＤに接続され、ドレイン端子は第１スイッチングＴＦＴ（Ｔ１）のドレイン端子と第２スイッチングＴＦＴ（Ｔ２）のソース端子に接続される。第１スイッチングＴＦＴ（Ｔ１）のソース端子はデータラインＤＬに接続され、ドレイン端子は第２スイッチングＴＦＴ（Ｔ２）のソース端子に接続される。第２スイッチングＴＦＴ（Ｔ２）のドレイン端子は、駆動ＴＦＴ（ＤＴ）および変換ＴＦＴ（ＭＴ）のそれぞれのゲート端子と、ストレージキャパシタＣｓｔとに接続される。第１および第２スイッチングＴＦＴ（Ｔ１、Ｔ２）のそれぞれのゲート端子は、スキャンラインに接続される。
【００４２】
そして、変換ＴＦＴ（ＭＴ）と駆動ＴＦＴ（ＤＴ）は、電流ミラー回路を形成するように隣接して形成されるため、同一な特性を有する場合、変換ＴＦＴ（ＭＴ）と駆動ＴＦＴ（ＤＴ）を同一な大きさで形成すれば、変換ＴＦＴ（ＭＴ）と駆動ＴＦＴ（ＤＴ）に流れる電流の量は同一になる。
【００４３】
このような、本実施例によるＥＬ表示装置４００は、入力データに比例する電流レベルまたはパルス幅を有する電流信号を各サブピクセル４１６に供給する。そして、各サブピクセル４１６は、データラインＤＬ１乃至ＤＬｍ／３から供給される電流の量に比例して発光する。
【００４４】
以下、図３および図４のように構成された本実施例のＥＬ表示装置４００の動作を説明する。
【００４５】
第１スキャンドライバ４４２の第１回路段から第１スキャンパルスが発生して、第１スキャンラインＳＬ１に供給される。第１スキャンラインＳＬ１に供給された第１スキャンパルスに応じて、第１スキャンラインＳＬ１上の各サブピクセル４１６が選択される。
【００４６】
データドライバ４３０から第１データ信号が、選択された各サブピクセル４１６に連結されたデータラインＤＬ１乃至ＤＬｍ／３に供給される。データラインＤＬ１乃至ＤＬｍ／３に供給された第１データ信号は、選択された各サブピクセル４１６に供給されて、所定の画像が表示される。
【００４７】
次いで、第１スキャン信号は、第２スキャンドライバ４４４の第１回路段に入力される。スキャンラインＳＬ１乃至３ＳＬｎにより、第１スキャンドライバ４４２と第２スキャンドライバ４４４とが連結される。すなわち、第１スキャンドライバ４４２の第１回路段と第２スキャンドライバ４４４の第１回路段との間は第１スキャンラインＳＬ１により連結され、第２スキャンドライバ４４４の第１回路段と第１スキャンドライバ４４２の第２回路段との間は第２スキャンラインＳＬ２により連結され、第１スキャンドライバ４４２の第２回路段と第２スキャンドライバ４４４の第２回路段との間は第３スキャンラインＳＬ３により連結される。スキャンラインＳＬ１乃至３ＳＬｎのうちＳＬ１、ＳＬ２、ＳＬ３以外のスキャンラインによっても、同様の方式で第１および第２スキャンドライバ４４２、４４４間を連結することができる。
【００４８】
このような場合、第２スキャンドライバ４４４の第１回路段は、第１スキャンパルスにより駆動される。すなわち、第２スキャンドライバ４４４の第１回路段は第１スキャンパルスに応じて、第２スキャンパルスを発生し、第２スキャンラインＳＬ２に供給する。第２スキャンラインＳＬ２に供給された第２スキャンパルスに応じて、第２スキャンラインＳＬ２上の各サブピクセル４１６が選択される。
【００４９】
データドライバ４３０から第２データ信号が、選択された各サブピクセル４１６に連結されたデータラインＤＬ１乃至ＤＬｍ／３に供給される。データラインＤＬ１乃至ＤＬｍ／３に供給された第２データ信号は、選択された各サブピクセル４１６に供給されて、所定の画像が表示される。
このような方式で、ＥＬ表示パネル４１０に備えられた全てのサブピクセル４１６が、フレーム単位で表示されることができる。
【００５０】
本発明は、上記の実施例に限定されず、請求範囲で請求する本発明の要旨から外れない本発明の属する分野で通常の知識を有する者であれば、誰でも多様な変更実施が可能なはずである。
【図面の簡単な説明】
【００５１】
【図１】一般のＥＬ表示パネルの有機発光セルを示す断面図である。
【図２】従来のＥＬ表示装置を概略的に示した図面である。
【図３】本発明の実施例によるＥＬ表示装置を概略的に示した図面である。
【図４】図３に図示された本発明の実施例によるＥＬ表示装置の概略的な回路図である。
【符号の説明】
【００５２】
４００：ＥＬ表示装置      
４１０：ＥＬ表示パネル
４４０：スキャンドライバ  
４３０：データドライバ
４１６：サブピクセル      
４１４：単位画素
４４２：第１スキャンドライバ              
４４４：第２スキャンドライバ
４４６、４４７：回路段
【図１】
2006301581.tif 000003
【図２】
2006301581.tif 000004
【図３】
2006301581.tif 000005
【図４】
2006301581.tif 000006